(57)【要約】【課題】本発明は、画像処理装置に対して出力する画像データの安全性を向上させる画像読み取り装置を提供する。【解決手段】本発明のスキャナ１は、原稿を載置したユーザに関するＩＤ情報３０を取得するＲＦＩＤリーダ／ライタ２６およびＲＦＩＤ読み取り指示部３１と、画像処理装置２から、画像データの読み取りを要求するユーザのＩＤ情報を受付ける指示受付け部３２と、受付けたＩＤ情報と、取得したＩＤ情報３０とを比較するＩＤ比較部３３と、ＩＤ比較部３３による比較結果に基づき、画像データの画像処理装置２への送信許可の可否を判定する画像読み取り指示部３４とを備える。【選択図】図１
2009152869.tif 000002
【特許請求の範囲】
【請求項１】
画像データに関する処理を実行する画像処理装置からの指示に応じて、原稿から画像データを読み取る画像読み取り装置であって、
当該画像読み取り装置において上記原稿を配置したユーザに関する情報である画像読み取り装置側情報を取得する情報取得手段と、
上記画像処理装置において取得された、上記画像データの読み取りを要求するユーザを識別する画像処理装置側情報と、上記情報取得手段によって取得した画像読み取り装置側情報とを比較した比較結果に基づき、上記画像データの上記画像処理装置への送信許可の可否を判定する判定手段と、を備えることを特徴とする画像読み取り装置。
【請求項２】
上記画像読み取り装置側情報は、当該画像読み取り装置において上記原稿を配置するユーザを識別する情報であって、
上記判定手段は、上記画像処理装置側情報と上記画像読み取り装置側情報との比較結果において、両者が一致する場合、上記画像データの上記画像処理装置への送信を許可するように判定することを特徴とする請求項１に記載の画像読み取り装置。
【請求項３】
上記画像読み取り装置側情報は、当該画像読み取り装置において上記原稿を配置するユーザが属するグループを識別する情報であって、
上記判定手段は、上記画像処理装置側情報と上記画像読み取り装置側情報との比較結果において、画像処理装置側情報により識別されるユーザが、画像読み取り装置側情報により識別されるグループに含まれている場合、上記画像データの上記画像処理装置への送信を許可するように判定することを特徴とする請求項１に記載の画像読み取り装置。
【請求項４】
画像データに関する処理を実行する画像処理装置からの指示に応じて、原稿から画像データを読み取る画像読み取り装置であって、
当該画像読み取り装置において配置する原稿には、該原稿に記録された内容に応じて、原稿から読み取られた画像データを利用できるユーザの区分が設定されており、
当該画像読み取り装置において配置した原稿から読み取られる画像データを利用できるユーザの区分を示す情報である画像読み取り装置側情報を取得する情報取得手段と、
上記画像処理装置において取得された、上記画像データの読み取りを要求するユーザを識別する画像処理装置側情報と、上記情報取得手段によって取得した画像読み取り装置側情報とを比較した比較結果に基づき、上記画像データの上記画像処理装置への送信許可の可否を判定する判定手段と、を備えることを特徴とする画像読み取り装置。
【請求項５】
上記判定手段は、上記画像処理装置側情報と上記画像読み取り装置側情報との比較結果において、画像処理装置側情報により識別されたユーザが、上記画像読み取り装置側情報により示された、上記画像データを利用できるユーザの区分に含まれるものである場合、上記画像データの上記画像処理装置への送信を許可するように判定することを特徴とする請求項４に記載の画像読み取り装置。
【請求項６】
上記画像読み取り装置側情報は、当該画像読み取り装置に原稿を配置するユーザに携帯され、他の装置と所定範囲内において通信可能な移動通信記憶装置に記憶されており、
上記情報取得手段は、上記移動通信記憶装置と当該画像読み取り装置との距離が所定範囲にある場合に通信を確立し、上記画像読み取り装置側情報を取得することを特徴とする請求項１〜５のいずれか１項に記載の画像読み取り装置。
【請求項７】
上記画像読み取り装置側情報は、当該画像読み取り装置において配置される原稿に付され、他の装置と所定範囲内において通信可能な移動通信記憶装置に記憶されており、
上記情報取得手段は、上記移動通信記憶装置と当該画像読み取り装置との距離が所定範囲にある場合に通信を確立し、上記画像読み取り装置側情報を取得することを特徴とする請求項４または５に記載の画像読み取り装置。
【請求項８】
上記画像処理装置から、上記画像処理装置側情報を受付ける受付け手段と、
上記受付け手段によって受付けた画像処理装置側情報と、上記情報取得手段によって取得した画像読み取り装置側情報とを比較する比較手段とを備え、
上記判定手段は、上記比較手段による比較結果に基づき、上記画像データの上記画像処理装置への送信許可の可否を判定することを特徴とする請求項１〜７のいずれか１項に記載の画像読み取り装置。
【請求項９】
上記画像処理装置から、上記画像データの読み取りを要求するユーザを識別する画像処理装置側情報と、上記画像読み取り装置側情報との比較結果を受付ける受付け手段を備え、
上記判定手段は、上記受付け手段によって受付けた上記比較結果に基づき、上記画像データの上記画像処理装置への送信許可の可否を判定することを特徴とする請求項１〜７のいずれか１項に記載の画像読み取り装置。
【請求項１０】
上記画像処理装置からの、上記画像データの読み取り要求に応じて、原稿から画像データを読み取る読み取り手段を備え、
上記判定手段が、上記比較結果に基づき、上記画像データの上記画像処理装置への送信が許可されると判定した場合、上記読み取り手段は原稿から画像データの読み取りを開始することを特徴とする請求項１〜９のいずれか１項に記載の画像読み取り装置。
【請求項１１】
上記画像処理装置からの、上記画像データの読み取り要求に応じて、原稿から画像データを読み取る読み取り手段と、
上記読み取り手段によって読み取った画像データを画像処理装置に送信する送信部とを備え、
上記判定手段が、上記比較結果に基づき、上記画像データの上記画像処理装置への送信が許可されると判定した場合、上記送信部は、上記読み取り手段によって既に読み取った画像データを、画像処理装置に送信することを特徴とする請求項１〜９のいずれか１項に記載の画像読み取り装置。
【請求項１２】
当該画像読み取り装置における原稿の配置の有無を検出する検出部を備え、
上記検出部が、原稿が配置されたことを検出した場合、上記情報取得手段は、上記画像読み取り装置側情報を、上記移動通信記憶装置から取得することを特徴とする請求項１０または１１に記載の画像読み取り装置。
【請求項１３】
上記情報取得手段によって取得された画像読み取り装置側情報を記憶する情報記憶装置と、
上記検出部が、配置されていた原稿がなくなったことを検出した場合、上記情報記憶装置に記憶された画像読み取り装置側情報を消去する消去手段と、を備えることを特徴とする請求項１２に記載の画像読み取り装置。
【請求項１４】
上記情報取得手段によって取得された画像読み取り装置側情報を記憶する情報記憶装置と、
上記検出部により原稿の配置を検出した時点からの経過時間を計測する計時部と、
上記計時部によって計測された時間が所定時間以上となった場合、上記情報記憶装置に記憶された画像読み取り装置側情報を消去する消去手段と、を備えることを特徴とする請求項１２に記載の画像読み取り装置。
【請求項１５】
上記検出部により原稿の配置を検出した時点からの経過時間を計測する計時部と、
上記計時部によって計測された時間が所定時間以上となった場合、原稿が放置されていることを通知する情報である通知情報を出力する通知情報出力手段と、を備えることを特徴とする請求項１２に記載の画像読み取り装置。
【請求項１６】
上記請求項１に記載の画像読み取り装置と、
上記画像読み取り装置によって読み取られた画像データを受信し、該画像データを処理する画像処理装置と備え、
上記画像処理装置が、
上記画像読み取り装置に対する、画像データの読み取りを指示する指示情報を受付ける指示情報受付け部と、
上記指示情報受付け部によって受付けた指示情報を入力したユーザの識別情報である画像処理装置側情報を取得する画像処理装置側情報取得手段と、
上記画像処理装置側情報取得手段によって取得した画像処理装置側情報を、上記指示情報とともに上記画像読み取り装置に送信する画像処理装置送信部と、を有することを特徴とする画像読み取りシステム。
【請求項１７】
上記請求項４に記載の画像読み取り装置と、
上記画像読み取り装置によって読み取られた画像データを受信し、該画像データを処理する画像処理装置と備え、
上記画像処理装置が、
上記画像読み取り装置に対する、画像データの読み取りを指示する指示情報を受付ける指示情報受付け部と、
上記指示情報受付け部によって受付けた指示情報を入力したユーザの識別情報である画像処理装置側情報を取得する画像処理装置側情報取得手段と、
上記画像読み取り装置から、上記画像読み取り装置側情報を受付け、上記画像処理装置側情報取得手段によって取得した画像処理装置側情報と比較する比較手段と、
上記比較手段による比較結果を、上記指示情報とともに上記画像読み取り装置に送信する画像処理装置送信部とを有することを特徴とする画像読み取りシステム。
【請求項１８】
画像データに関する処理を実行する画像処理装置からの指示に応じて、原稿から画像データを読み取る画像読み取り装置の制御方法であって、
当該画像読み取り装置において上記原稿を配置したユーザに関する情報である画像読み取り装置側情報を取得する第１ステップと、
上記画像処理装置において取得された、上記画像データの読み取りを要求するユーザを識別する画像処理装置側情報と、上記第１ステップによって取得した画像読み取り装置側情報とを比較した比較結果に基づき、上記画像データの上記画像処理装置への送信許可の可否を判定する第２ステップと、を含むことを特徴とする画像読み取り装置の制御方法。
【請求項１９】
画像データに関する処理を実行する画像処理装置からの指示に応じて、原稿から画像データを読み取る画像読み取り装置の制御方法であって、
当該画像読み取り装置において配置する原稿には、該原稿に記録された内容に応じて、原稿から読み取られた画像データを利用できるユーザの区分が設定されており、
当該画像読み取り装置において配置した原稿から読み取られる画像データを利用できるユーザの区分を示す情報である画像読み取り装置側情報を取得する第１ステップと、
上記画像処理装置において取得された、上記画像データの読み取りを要求するユーザを識別する画像処理装置側情報と、上記第１ステップによって取得した画像読み取り装置側情報とを比較した比較結果に基づき、上記画像データの上記画像処理装置への送信許可の可否を判定する第２ステップと、を含むことを特徴とする画像読み取り装置の制御方法。
【請求項２０】
コンピュータを請求項１から１５のいずれか１項に記載の画像読み取り装置の各手段として機能させるための画像読み取り装置の制御プログラム。
【請求項２１】
請求項２０に記載の画像読み取り装置の制御プログラムを記録したコンピュータ読み取り可能な記録媒体。
【発明の詳細な説明】
【技術分野】
【０００１】
本発明は、画像データに関する処理を実行する画像処理装置からの指示に応じて、原稿から画像データを読み取る画像読み取り装置に関するものである。
【背景技術】
【０００２】
近年、画像データを読み取り、読み取った画像データを、通信ネットワークを介して接続された画像処理装置に出力することができるスキャナが開発されている。このスキャナは、通信ネットワークを介して接続されている画像処理装置から、画像データの読み取り要求を受信すると、読み取った画像データをこの画像処理装置に送信することができるようになっている。
【０００３】
ところで、上記スキャナでは、様々なユーザが画像処理装置を操作して画像の読み取りを要求することができるようになっている。このように通信ネットワークを介して複数のユーザによってスキャナを共有できるシステムでは、読み取った画像データをユーザごとに管理できることが好ましい。そこで、特許文献１では、読み取った画像を、入力された識別情報に対応するディレクトリに格納するように構成されたスキャナが開示されている。
【０００４】
また、このシステムでは、スキャナは、正規のユーザであるか否かに関わらず、通信ネットワークに接続可能なユーザからの要求を受付け、該要求に応じた処理を行うことができるようになっている。このため、スキャナは、正規のユーザにより指示された要求に対してのみ該要求に応じた処理を実行するように構成される必要がある。
【０００５】
そこで、特許文献２では、他の装置からスキャン文書の読み出し要求を受けつけた場合、所定の読み出し権限情報の提示があるときには読み出しを許可し、提示がないときには、読み出しを禁止するスキャナが開示されている。
【０００６】
また、特許文献３では、スキャナにより読み取った画像データ等の出力を制限するシステムが開示されている。すなわち、特許文献３では、スキャナが読み取った画像データとともにＩＤタグリーダにより取得したＩＤ情報を画像処理装置に送信する。一方、これらの情報を受信した画像処理装置は、このＩＤ情報と、自身が備えるＩＤタグリーダで取得したＩＤ情報とを比較し、受信した画像データの出力の可否を決定する。また、特許文献４では、ユーザが携帯するＩＤカードのＩＤ番号に対応するプリントジョブの実行を行うデジタル複写機が開示されている。
【特許文献１】特開平９−３７０１３号公報（１９９７年２月７日公開）
【特許文献２】特開２００６−１３５６７１号公報（２００６年５月２５日公開）
【特許文献３】特開２００５−９２６６８号公報（２００５年４月７日公開）
【特許文献４】特開２０００−１７７２１２号公報（２０００年６月２７日公開）
【発明の開示】
【発明が解決しようとする課題】
【０００７】
しかしながら、上記従来の構成では、スキャナ等の画像読み取り装置から、画像データの読み取り処理を要求する画像処理装置に対して出力する画像データの安全性を高めることができないという問題を生じる。
【０００８】
具体的には、特許文献３に示すシステムでは、スキャナから受信した画像データの出力の可否を、画像データを受信した画像処理装置側にて判断する構成である。つまり、スキャナにて読み取った画像データを上記画像処理装置に一旦送信したのち、該画像処理装置にて、この画像データの出力の可否を判断する構成である。このように、スキャナによる画像データの読み取りが、正規ユーザからの要求に応じたものであるのか否か確認する前にスキャナが画像データを読み取り、画像処理装置に送信するため、第３者による、この画像データの不正利用の危険性が大きくなる。
【０００９】
また、上記特許文献１、２、４はそれぞれ、スキャナから画像処理装置に送信される画像データの安全性を高めるものではない。
【００１０】
本発明は、上記の問題点に鑑みてなされたものであり、その目的は、画像データの読み取り処理を要求する画像処理装置に対して出力する画像データの安全性を向上させる画像読み取り装置、画像読み取りシステム、画像読み取り装置の制御方法、画像読み取り装置の制御プログラム、および画像読み取り装置の制御プログラムを記録した記録媒体を実現することにある。
【課題を解決するための手段】
【００１１】
本発明に係る画像読み取り装置は、上記した課題を解決するために、画像データに関する処理を実行する画像処理装置からの指示に応じて、原稿から画像データを読み取る画像読み取り装置であって、当該画像読み取り装置において上記原稿を配置したユーザに関する情報である画像読み取り装置側情報を取得する情報取得手段と、上記画像処理装置において取得された、上記画像データの読み取りを要求するユーザを識別する画像処理装置側情報と、上記情報取得手段によって取得した画像読み取り装置側情報とを比較した比較結果に基づき、上記画像データの上記画像処理装置への送信許可の可否を判定する判定手段と、を備えることを特徴とする。
【００１２】
上記構成によると、情報取得手段を備えているため、上記原稿を当該画像読み取り装置において配置したユーザに関する画像読み取り装置側情報を取得することができる。そして、判定手段を備えているため、画像データの読み取りを要求するユーザを識別する画像処理装置側情報と上記画像読み取り装置側情報との比較結果に基づき、画像データの読み取りを要求するユーザが、配置した原稿から読み取られた画像データを利用できる正規ユーザか否か判定することができる。そして、本発明に係る画像読み取り装置は、正規ユーザからの画像データの読み取り要求か否か判定した上で、読み取った画像データを画像処理装置に送信することができる。
【００１３】
このため、画像データを一旦画像処理装置において受信し、その利用の可否を判断する構成に比べて画像データの第３者による不正な利用を防止できる。
【００１４】
よって、本発明に係る画像読み取り装置は、画像データの読み取り処理を要求する画像処理装置に対して出力する画像データの安全性を向上させることができるという効果を奏する。
【００１５】
また、本発明に係る画像読み取り装置は、上記した構成において、上記画像読み取り装置側情報は、当該画像読み取り装置において上記原稿を配置するユーザを識別する情報であって、上記判定手段は、上記画像処理装置側情報と上記画像読み取り装置側情報との比較結果において、両者が一致する場合、上記画像データの上記画像処理装置への送信を許可するように判定するように構成されていてもよい。
【００１６】
上記構成によると、上記画像処理装置側情報と上記画像読み取り装置側情報との比較結果において、両者が一致する場合、判定手段は、上記画像データの画像処理装置への送信を許可するように判定することができる。
【００１７】
ここで、原稿を配置するユーザを識別する情報と、画像データの読み取りを要求するユーザの識別情報とが一致するというのは、原稿を配置したユーザ自身が、画像処理装置から、原稿の画像データの読み取りを要求しているということである。つまり、正規のユーザではない第３者からの不正な画像データの読み取り要求ではないということである。
【００１８】
したがって、本発明に係る画像読み取り装置は、正規のユーザからの画像データの読み取り要求か否か確認した上で、読み取った画像データの画像処理装置への送信許可を判定することができる。
【００１９】
また、本発明に係る画像読み取り装置は、上記した構成において、上記画像読み取り装置側情報は、当該画像読み取り装置において上記原稿を配置するユーザが属するグループを識別する情報であって、上記判定手段は、上記画像処理装置側情報と上記画像読み取り装置側情報との比較結果において、画像処理装置側情報により識別されるユーザが、画像読み取り装置側情報により識別されるグループに含まれている場合、上記画像データの上記画像処理装置への送信を許可するように判定するように構成されていてもよい。
【００２０】
上記構成によると、判定手段による、上記画像処理装置側情報と上記画像読み取り装置側情報との比較結果において、画像処理装置側情報により識別されるユーザが、画像読み取り装置側情報により識別されるグループに含まれている場合、判定手段は、上記画像データの画像処理装置への送信を許可するように判定することができる。
【００２１】
ここで、画像データの読み取りを要求するユーザが画像読み取り装置側情報により識別されるグループに含まれている場合というのは、画像データの読み取りを要求するユーザが、原稿から読み取られた画像データを利用できるグループに含まれているということである。つまり、正規のユーザではない第３者からの不正な画像データの読み取り要求ではないということである。
【００２２】
したがって、本発明に係る画像読み取り装置は、正規のユーザからの画像データの読み取り要求か否か確認した上で、読み取った画像データの画像処理装置への送信許可を判定することができる。
【００２３】
本発明に係る画像読み取り装置は、上記した課題を解決するために、画像データに関する処理を実行する画像処理装置からの指示に応じて、原稿から画像データを読み取る画像読み取り装置であって、当該画像読み取り装置において配置する原稿には、該原稿に記録された内容に応じて、原稿から読み取られた画像データを利用できるユーザの区分が設定されており、当該画像読み取り装置において配置した原稿から読み取られる画像データを利用できるユーザの区分を示す情報である画像読み取り装置側情報を取得する情報取得手段と、上記画像処理装置において取得された、上記画像データの読み取りを要求するユーザを識別する画像処理装置側情報と、上記情報取得手段によって取得した画像読み取り装置側情報とを比較した比較結果に基づき、上記画像データの上記画像処理装置への送信許可の可否を判定する判定手段と、を備えることを特徴とする。
【００２４】
上記構成によると、情報取得手段を備えているため、上記原稿を当該画像読み取り装置において配置した原稿から読み取られる画像データを利用できるユーザの区分に関する情報を取得することができる。そして、判定手段を備えているため、画像データの読み取りを要求するユーザを識別する画像処理装置側情報と上記画像読み取り装置側情報との比較結果に基づき、画像データの読み取りを要求するユーザが、画像読み取り装置側情報として示される上記ユーザの区分に含まれるか否か判定することができる。つまり、本発明に係る画像読み取り装置は、上記判定手段により、画像データの読み取りを要求するユーザが、配置した原稿から読み取られた画像データを利用できる正規ユーザか否か判定することができる。そして、本発明に係る画像読み取り装置は、画像データの読み取り要求が正規ユーザからなされたものか否か判定した上で、読み取った画像データを画像処理装置に送信することができる。
【００２５】
このため、画像データを一旦画像処理装置において受信し、その利用の可否を判断する構成に比べて画像データの第３者による不正な利用を防止できる。
【００２６】
よって、本発明に係る画像読み取り装置は、画像データの読み取り処理を要求する画像処理装置に対して出力する画像データの安全性を向上させることができるという効果を奏する。
【００２７】
また、本発明に係る画像読み取り装置は、上記した構成において、上記判定手段は、上記画像処理装置側情報と上記画像読み取り装置側情報との比較結果において、画像処理装置側情報により識別されたユーザが、上記画像読み取り装置側情報により示された、上記画像データを利用できるユーザの区分に含まれるものである場合、上記画像データの上記画像処理装置への送信を許可するように判定するように構成されていてもよい。
【００２８】
上記構成によると、判定手段を備えているため、上記画像処理装置側情報と上記画像読み取り装置側情報との比較結果において、画像処理装置側情報により識別されるユーザが、画像読み取り情報により示される、上記画像データを利用できる区分に含まれるユーザである場合、上記画像データの画像処理装置への送信を許可するように判定することができる。
【００２９】
ここで、画像データの読み取りを要求するユーザが、画像データを利用できる区分に含まれるユーザである場合というのは、画像データの読み取りを要求するユーザが、原稿から読み取られた画像データを利用できる権限を有しているということである。つまり、正規のユーザではない第３者からの不正な画像データの読み取り要求ではないということである。
【００３０】
したがって、本発明に係る画像読み取り装置は、正規のユーザからの画像データの読み取り要求か否か確認した上で、読み取った画像データの画像処理装置への送信許可を判定することができる。
【００３１】
また、本発明に係る画像読み取り装置は、上記した構成において、上記画像読み取り装置側情報は、当該画像読み取り装置に原稿を配置するユーザに携帯され、他の装置と所定範囲内において通信可能な移動通信記憶装置に記憶されており、上記情報取得手段は、上記移動通信記憶装置と当該画像読み取り装置との距離が所定範囲にある場合に通信を確立し、上記画像読み取り装置側情報を取得するように構成されていてもよい。
【００３２】
上記構成によると、上記情報取得手段は、本発明の画像読み取り装置との距離が所定範囲となる位置に移動記憶装置がある場合、画像読み取り装置側情報を該移動通信記憶装置から取得することができる。
【００３３】
このため、画像読み取り装置において原稿を配置するために所定範囲内にいるユーザから画像読み取り装置側情報を取得することができる。したがって、誤った取得先から画像読み取り装置側情報を取得することを防ぐができる。
【００３４】
また、本発明に係る画像読み取り装置は、上記した構成において、上記画像読み取り装置側情報は、当該画像読み取り装置において配置される原稿に付され、他の装置と所定範囲内において通信可能な移動通信記憶装置に記憶されており、上記情報取得手段は、上記移動通信記憶装置と当該画像読み取り装置との距離が所定範囲にある場合に通信を確立し、上記画像読み取り装置側情報を取得するように構成されていてもよい。
【００３５】
上記構成によると、上記情報取得手段は、本発明の画像読み取り装置との距離が所定範囲となる位置に移動記憶装置がある場合、画像読み取り装置側情報を該移動通信記憶装置から取得することができる。
【００３６】
このため、画像読み取り装置において配置された原稿から画像読み取り装置側情報を取得することができる。したがって、誤った取得先から画像読み取り装置側情報を取得することを防ぐことができる。
【００３７】
また、本発明に係る画像読み取り装置は、上記した構成において、上記画像処理装置から、上記画像処理装置側情報を受付ける受付け手段と、上記受付け手段によって受付けた画像処理装置側情報と、上記情報取得手段によって取得した画像読み取り装置側情報とを比較する比較手段とを備え、上記判定手段は、上記比較手段による比較結果に基づき、上記画像データの上記画像処理装置への送信許可の可否を判定するように構成されていてもよい。
【００３８】
上記構成によると、受付手段および比較手段を備えるため、画像処理装置側情報と画像読み取り装置側情報とを比較し、比較結果を得ることができる。このため、この比較結果に基づき、判定手段は、画像データの上記画像処理装置への送信許可の可否を判定することができる。
【００３９】
また、本発明に係る画像読み取り装置は、上記した構成において、上記画像処理装置から、上記画像データの読み取りを要求するユーザを識別する画像処理装置側情報と、上記画像読み取り装置側情報との比較結果を受付ける受付け手段を備え、上記判定手段は、上記受付け手段によって受付けた上記比較結果に基づき、上記画像データの上記画像処理装置への送信許可の可否を判定するように構成されていてもよい。
【００４０】
上記構成によると、受付け手段を備えているため、上記画像処理装置から、画像処理装置側情報と、画像読み取り装置側情報との比較結果を受付けることができる。このため、この比較結果に基づき、判定手段は、画像データの上記画像処理装置への送信許可の可否を判定することができる。
【００４１】
また、本発明に係る画像読み取り装置は、上記した構成において、上記画像処理装置からの、上記画像データの読み取り要求に応じて、原稿から画像データを読み取る読み取り手段を備え、上記判定手段が、上記比較結果に基づき、上記画像データの上記画像処理装置への送信が許可されると判定した場合、上記読み取り手段は原稿から画像データの読み取りを開始するように構成されていてもよい。
【００４２】
上記構成によると、正規ユーザからの画像データの読み取り要求であり、画像処理装置に画像データを送信することができると判定手段が判定してから、読み取り手段が原稿から画像データ読み取る。このように、正規ユーザからの画像データの読み取り要求である旨を確認してから画像データを読み取るため、画像データを不正に利用されることを防止することができる。
【００４３】
また、本発明に係る画像読み取り装置は、上記した構成において、上記画像処理装置からの、上記画像データの読み取り要求に応じて、原稿から画像データを読み取る読み取り手段と、上記読み取り手段によって読み取った画像データを画像処理装置に送信する送信部とを備え、上記判定手段が、上記比較結果に基づき、上記画像データの上記画像処理装置への送信が許可されると判定した場合、上記送信部は、上記読み取り手段によって既に読み取った画像データを、画像処理装置に送信するように構成されていてもよい。
【００４４】
上記構成によると、正規ユーザからの画像データの要求であり、画像処理装置に画像データを送信することができると判定手段が判定してから、読み取り手段により既に読み取ってある画像データを送信部が送信することができる。
【００４５】
このように正規ユーザからの画像データの要求である旨を確認すると、予め読み取っていた画像データを送信することができるため、画像データの迅速な送信を実現することができる。
【００４６】
また、本発明に係る画像読み取り装置は、上記した構成において、当該画像読み取り装置における原稿の配置の有無を検出する検出部を備え、上記検出部が、原稿が配置されたことを検出した場合、上記情報取得手段は、上記画像読み取り装置側情報を、上記移動通信記憶装置から取得するように構成されていてもよい。
【００４７】
上記構成によると、検出部を備えるため、原稿が当該画像読み取り装置に配置されたタイミングで、画像読み取り装置側情報を取得できる。このため、画像データの読み取り要求がなされる原稿に応じた画像読み取り装置側情報を取得できる。
【００４８】
また、本発明に係る画像読み取り装置は、上記した構成において、上記情報取得手段によって取得された画像読み取り装置側情報を記憶する情報記憶装置と、上記検出部が、配置されていた原稿がなくなったことを検出した場合、上記情報記憶装置に記憶された画像読み取り装置側情報を消去する消去手段と、を備えるように構成されていてもよい。
【００４９】
ここで、配置された原稿がなくなったということは、画像データの読み取り処理が完了したという状況が想定できる。
【００５０】
上記構成によると、消去手段を備えているため、画像データの読み取り処理が完了すると、情報取得手段によって取得した画像読み取り装置側情報を情報記憶装置から消去することができる。したがって、情報記憶装置に記憶した画像読み取り装置側情報の管理を適切に行うことができる。
【００５１】
また、本発明に係る画像読み取り装置は、上記した構成において、上記情報取得手段によって取得された画像読み取り装置側情報を記憶する情報記憶装置と、上記検出部により原稿の配置を検出した時点からの経過時間を計測する計時部と、上記計時部によって計測された時間が所定時間以上となった場合、上記情報記憶装置に記憶された画像読み取り装置側情報を消去する消去手段と、を備えるように構成されていてもよい。
【００５２】
ここで、上記計時部によって計測された時間が所定時間以上となる場合とは、原稿の読み取り処理が完了しているが、原稿を取り忘れた状態、または画像データの読み取り処理の必要性がなくなった状態を想定することができる。なお、所定時間としては、原稿の読み取り処理を実行するにあたり必要となる時間を設定することが好ましい。
【００５３】
上記構成によると、消去手段を備えているため、検出部によって所定時間以上原稿が配置されたままである旨検出されると、情報記憶装置に記憶された画像読み取り装置側情報を消去することができる。したがって、情報記憶装置に記憶した画像読み取り装置側情報の管理を適切に行うことができる。
【００５４】
また、本発明に係る画像読み取り装置は、上記した構成において、上記検出部により原稿の配置を検出した時点からの経過時間を計測する計時部と、上記計時部によって計測された時間が所定時間以上となった場合、原稿が放置されていることを通知する情報である通知情報を出力する通知情報出力手段と、を備えるように構成されていてもよい。
【００５５】
上記構成によると通知情報出力手段を備えるため、原稿が所定時間以上放置されていると、その旨をユーザに通知することができる。なお、所定時間としては、原稿の読み取り処理を実行するにあたり必要となる経過時間以上を設定することが好ましい。
【００５６】
本発明に係る画像読み取りシステムは、上記した課題を解決するために、上記情報取得手段、および判定手段、を有する画像読み取り装置と、上記画像読み取り装置によって読み取られた画像データを受信し、該画像データを処理する画像処理装置と備え、上記画像処理装置が、上記画像読み取り装置に対する、画像データの読み取りを指示する指示情報を受付ける指示情報受付け部と、上記指示情報受付け部によって受付けた指示情報を入力したユーザの識別情報である画像処理装置側情報を取得する画像処理装置側情報取得手段と、上記画像処理装置側情報取得手段によって取得した画像処理装置側情報を、上記指示情報とともに上記画像読み取り装置に送信する画像処理装置送信部と、を有することを特徴とする。
【００５７】
上記した構成によると、画像処理装置が、指示情報受付け部と、上記画像処理装置側情報取得手段と、上記画像処理装置送信部とを有するため、画像読み取り装置に、画像データの読み取り指示とともに、該指示したユーザの識別情報である画像処理装置側情報を送信することができる。
【００５８】
このため、画像読み取り装置において、原稿を当該画像読み取り装置において配置したユーザに関する画像読み取り装置側情報と、上記画像処理装置側情報との比較を行うことができる。したがって、画像データの読み取りを指示するユーザが、配置した原稿から読み取られた画像データを利用できる正規ユーザとして含まれているか否か把握することができる。
【００５９】
また、画像読み取り装置における判定手段により、上記比較結果に応じて、画像データの読み取りを指示するユーザが、配置した原稿から読み取られた画像データを利用できる正規ユーザか否か判定することができる。そして、正規のユーザからの画像データの読み取り指示か否か判定した上で、読み取った画像データを画像処理装置に送信することができる。
【００６０】
このため、画像データを一旦画像処理装置において受信し、その利用の可否を判断する構成に比べて画像データの第３者による不正な利用を防止できる。
【００６１】
よって、本発明に係る画像読み取りシステムは、画像データの読み取り処理を要求する画像処理装置に対して画像読み取り装置から出力する画像データの安全性を向上させることができるという効果を奏する。
【００６２】
本発明に係る画像読み取りシステムは、上記した課題を解決するために、上記情報取得手段、および上記判定手段を備えた画像読み取り装置と、上記画像読み取り装置によって読み取られた画像データを受信し、該画像データを処理する画像処理装置と備え、上記画像処理装置が、上記画像読み取り装置に対する、画像データの読み取りを指示する指示情報を受付ける指示情報受付け部と、上記指示情報受付け部によって受付けた指示情報を入力したユーザの識別情報である画像処理装置側情報を取得する画像処理装置側情報取得手段と、上記画像読み取り装置から、上記画像読み取り装置側情報を受付け、上記画像処理装置側情報取得手段によって取得した画像処理装置側情報と比較する比較手段と、上記比較手段による比較結果を、上記指示情報とともに上記画像読み取り装置に送信する画像処理装置送信部とを有することを特徴とする。
【００６３】
上記構成によると、上記画像処理装置が、上記指示情報受付け部と、画像処理装置側情報取得手段と、上記比較手段と、上記画像処理装置送信部とを備えているため、画像読み取り装置から受信した画像読み取り装置側情報と、画像処理装置側情報取得手段によって取得した画像処理装置側情報とを、比較手段によって比較することができる。このため、画像処理装置において、上記比較手段により、画像データの読み取りを指示するユーザが、配置した原稿から読み取られた画像データを利用できるユーザとして含まれているか否か把握することができる。
【００６４】
また、画像処理装置から画像読み取り装置に対して、画像データの読み取り指示とともに、上記比較結果を送信することができる。このため、画像読み取り装置における判定手段により、上記比較結果に応じて、画像データの読み取りを指示するユーザが、配置した原稿から読み取られた画像データを利用することができる正規ユーザか否か判定することができる。そして、正規のユーザからの画像データの読み取り指示か否か判定した上で、読み取った画像データを画像処理装置に送信することができる。
【００６５】
このため、画像データを一旦画像処理装置において受信し、その利用の可否を判断する構成に比べて画像データの第３者による不正な利用を防止できる。
【００６６】
よって、本発明に係る画像読み取りシステムは、画像データの読み取り処理を要求する画像処理装置に対して画像読み取り装置から出力する画像データの安全性を向上させることができるという効果を奏する。
【００６７】
本発明に係る画像読み取り装置の制御方法は、上記した課題を解決するために、画像データに関する処理を実行する画像処理装置からの指示に応じて、原稿から画像データを読み取る画像読み取り装置の制御方法であって、当該画像読み取り装置において上記原稿を配置したユーザに関する情報である画像読み取り装置側情報を取得する第１ステップと、上記画像処理装置において取得された、上記画像データの読み取りを要求するユーザを識別する画像処理装置側情報と、上記第１ステップによって取得した画像読み取り装置側情報とを比較した比較結果に基づき、上記画像データの上記画像処理装置への送信許可の可否を判定する第２ステップと、を含むことを特徴とする。
【００６８】
上記方法によると、第１ステップを含むため、上記原稿を当該画像読み取り装置において配置したユーザに関する画像読み取り装置側情報を取得することができる。
【００６９】
また、第２ステップを含むため、画像データの読み取りを要求するユーザが、配置した原稿から読み取られた画像データを利用できるユーザとして含まれているか比較し、その比較結果に応じて、画像データの読み取りを要求するユーザが、配置した原稿から読み取られた画像データを利用できる正規ユーザか否か判定することができる。そして、正規のユーザからの画像データの読み取り要求か否か判定した上で、読み取った画像データを画像処理装置に送信することができる。
【００７０】
このため、画像データを一旦画像処理装置において受信し、その利用の可否を判断する場合と比べて画像データの第３者による不正な利用を防止できる。
【００７１】
よって、本発明に係る画像読み取り装置の制御方法は、画像データの読み取り処理を要求する画像処理装置に対して出力する画像データの安全性を向上させることができるという効果を奏する。
【００７２】
本発明に係る画像読み取り装置の制御方法は、上記した課題を解決するために、画像データに関する処理を実行する画像処理装置からの指示に応じて、原稿から画像データを読み取る画像読み取り装置の制御方法であって、当該画像読み取り装置において配置する原稿には、該原稿に記録された内容に応じて、原稿から読み取られた画像データを利用できるユーザの区分が設定されており、当該画像読み取り装置において配置した原稿から読み取られる画像データを利用できるユーザの区分を示す情報である画像読み取り装置側情報を取得する第１ステップと、上記画像処理装置において取得された、上記画像データの読み取りを要求するユーザを識別する画像処理装置側情報と、上記第１ステップによって取得した画像読み取り装置側情報とを比較した比較結果に基づき、上記画像データの上記画像処理装置への送信許可の可否を判定する第２ステップと、を含むことを特徴とする。
【００７３】
上記方法によると、第１ステップを含むため、上記画像データを利用できるユーザの区分を示す画像読み取り装置側情報を取得することができる。
【００７４】
また、第２ステップを含むため、画像データの読み取りを要求するユーザが、配置した原稿から読み取られた画像データを利用できるユーザとして、画像読み取り装置側情報によって示されるユーザの区分に含まれているか比較する。そして、その比較結果に応じて、画像データの読み取りを要求するユーザが、配置した原稿から読み取られた画像データを利用できる正規ユーザか否か判定することができる。
【００７５】
そして、正規のユーザからの画像データの読み取り要求か否か判定した上で、読み取った画像データを画像処理装置に送信することができる。
【００７６】
このため、画像データを一旦画像処理装置において受信し、その利用の可否を判断する場合と比べて画像データの第３者による不正な利用を防止できる。
【００７７】
よって、本発明に係る画像読み取り装置の制御方法は、画像データの読み取り処理を要求する画像処理装置に対して出力する画像データの安全性を向上させることができるという効果を奏する。
【００７８】
なお、上記画像読み取り装置は、コンピュータによって実現してもよく、この場合には、コンピュータを上記各手段として動作させることにより、上記画像読み取り装置をコンピュータにて実現させる画像読み取り装置の制御プログラム、およびそれを記録したコンピュータ読み取り可能な記録媒体も、本発明の範疇に入る。
【発明の効果】
【００７９】
本発明に係る画像読み取り装置は、以上のように、画像データに関する処理を実行する画像処理装置からの指示に応じて、原稿から画像データを読み取る画像読み取り装置であって、当該画像読み取り装置において上記原稿を配置したユーザに関する情報である画像読み取り装置側情報を取得する情報取得手段と、上記画像処理装置において取得された、上記画像データの読み取りを要求するユーザを識別する画像処理装置側情報と、上記情報取得手段によって取得した画像読み取り装置側情報とを比較した比較結果に基づき、上記画像データの上記画像処理装置への送信許可の可否を判定する判定手段と、を備えることを特徴とする。
【００８０】
よって、本発明に係る画像読み取り装置は、画像データの読み取り処理を要求する画像処理装置に対して出力する画像データの安全性を向上させることができるという効果を奏する。
【００８１】
本発明に係る画像読み取り装置は、以上のように、画像データに関する処理を実行する画像処理装置からの指示に応じて、原稿から画像データを読み取る画像読み取り装置であって、当該画像読み取り装置において配置する原稿には、該原稿に記録された内容に応じて、原稿から読み取られた画像データを利用できるユーザの区分が設定されており、当該画像読み取り装置において配置した原稿から読み取られる画像データを利用できるユーザの区分を示す情報である画像読み取り装置側情報を取得する情報取得手段と、上記画像処理装置において取得された、上記画像データの読み取りを要求するユーザを識別する画像処理装置側情報と、上記情報取得手段によって取得した画像読み取り装置側情報とを比較した比較結果に基づき、上記画像データの上記画像処理装置への送信許可の可否を判定する判定手段と、を備えることを特徴とする。
【００８２】
よって、本発明に係る画像読み取り装置は、画像データの読み取り処理を要求する画像処理装置に対して出力する画像データの安全性を向上させることができるという効果を奏する。
【００８３】
本発明に係る画像読み取りシステムは、以上のように、上記情報取得手段、および判定手段、を有する画像読み取り装置と、上記画像読み取り装置によって読み取られた画像データを受信し、該画像データを処理する画像処理装置と備え、上記画像処理装置が、上記画像読み取り装置に対する、画像データの読み取りを指示する指示情報を受付ける指示情報受付け部と、上記指示情報受付け部によって受付けた指示情報を入力したユーザの識別情報である画像処理装置側情報を取得する画像処理装置側情報取得手段と、上記画像処理装置側情報取得手段によって取得した画像処理装置側情報を、上記指示情報とともに上記画像読み取り装置に送信する画像処理装置送信部と、を有することを特徴とする。
【００８４】
上記した構成によると、画像処理装置が、指示情報受付け部と、上記画像処理装置側情報取得手段と、上記画像処理装置送信部とを有するため、画像読み取り装置に、画像データの読み取り指示とともに、該指示したユーザの識別情報である画像処理装置側情報を送信することができる。
【００８５】
よって、本発明に係る画像読み取りシステムは、画像データの読み取り処理を要求する画像処理装置に対して画像読み取り装置から出力する画像データの安全性を向上させることができるという効果を奏する。
【００８６】
本発明に係る画像読み取りシステムは、以上のように、上記情報取得手段、および上記判定手段を備えた画像読み取り装置と、上記画像読み取り装置によって読み取られた画像データを受信し、該画像データを処理する画像処理装置と備え、上記画像処理装置が、上記画像読み取り装置に対する、画像データの読み取りを指示する指示情報を受付ける指示情報受付け部と、上記指示情報受付け部によって受付けた指示情報を入力したユーザの識別情報である画像処理装置側情報を取得する画像処理装置側情報取得手段と、上記画像読み取り装置から、上記画像読み取り装置側情報を受付け、上記画像処理装置側情報取得手段によって取得した画像処理装置側情報と比較する比較手段と、上記比較手段による比較結果を、上記指示情報とともに上記画像読み取り装置に送信する画像処理装置送信部とを有することを特徴とする。
【００８７】
よって、本発明に係る画像読み取りシステムは、画像データの読み取り処理を要求する画像処理装置に対して画像読み取り装置から出力する画像データの安全性を向上させることができるという効果を奏する。
【００８８】
本発明に係る画像読み取り装置の制御方法は、以上のように、画像データに関する処理を実行する画像処理装置からの指示に応じて、原稿から画像データを読み取る画像読み取り装置の制御方法であって、当該画像読み取り装置において上記原稿を配置したユーザに関する情報である画像読み取り装置側情報を取得する第１ステップと、上記画像処理装置において取得された、上記画像データの読み取りを要求するユーザを識別する画像処理装置側情報と、上記第１ステップによって取得した画像読み取り装置側情報とを比較した比較結果に基づき、上記画像データの上記画像処理装置への送信許可の可否を判定する第２ステップと、を含むことを特徴とする。
【００８９】
よって、本発明に係る画像読み取り装置の制御方法は、画像データの読み取り処理を要求する画像処理装置に対して出力する画像データの安全性を向上させることができるという効果を奏する。
【００９０】
本発明に係る画像読み取り装置の制御方法は、以上のように、画像データに関する処理を実行する画像処理装置からの指示に応じて、原稿から画像データを読み取る画像読み取り装置の制御方法であって、当該画像読み取り装置において配置する原稿には、該原稿に記録された内容に応じて、原稿から読み取られた画像データを利用できるユーザの区分が設定されており、当該画像読み取り装置において配置した原稿から読み取られる画像データを利用できるユーザの区分を示す情報である画像読み取り装置側情報を取得する第１ステップと、上記画像処理装置において取得された、上記画像データの読み取りを要求するユーザを識別する画像処理装置側情報と、上記第１ステップによって取得した画像読み取り装置側情報とを比較した比較結果に基づき、上記画像データの上記画像処理装置への送信許可の可否を判定する第２ステップと、を含むことを特徴とする。
【００９１】
よって、本発明に係る画像読み取り装置の制御方法は、画像データの読み取り処理を要求する画像処理装置に対して出力する画像データの安全性を向上させることができるという効果を奏する。
【発明を実施するための最良の形態】
【００９２】
本発明の一実施形態について図１ないし図８に基づいて説明すると以下の通りである。すなわち、本実施の形態に係る画像読み取りシステム１００は、図２に示すように原稿から画像データを読み取るスキャナ１と、このスキャナ１によって読み取られた画像データを受信し、画像処理を行う複数の画像処理装置２…とを備えてなる構成である。図２は、本発明の実施形態を示すものであり、画像読み取りシステム１００の概略構成を示すブロック図である。
【００９３】
スキャナ１と複数の画像処理装置２…とは、通信ネットワークを介して通信可能に接続されている。そして、スキャナ１は、画像処理装置２からの指示を、この通信ネットワークを通じて受信し、該指示に応じて原稿から画像データを読み取ったり、読み取った画像データを、この画像処理装置２に送信したりすることができる。
【００９４】
このスキャナ１は、正規のユーザからの画像データの読み取り指示に応じてのみ、原稿から画像データを読み取るように構成されている。すなわち、正規のユーザ以外から原稿の読み取り指示を受信したとしても、スキャナ１は、原稿に対する読み取り処理を実行しない。このため、本実施の形態に係る画像読み取りシステム１００では、原稿に対する読み取り処理の安全性を向上させることができる。なお、このスキャナ１による画像データの読み取り処理の詳細については後述する。
【００９５】
また、図２に示す画像読み取りシステム１００は、１台のスキャナ１と複数の画像処理装置２とを備えているがこれに限定されるものではない。例えば、画像読み取りシステム１００は、スキャナ１を複数備えてもよいし、逆に１台の画像処理装置２を備える構成であってもよい。
【００９６】
（スキャナの構成）
次に、図１、図３および図４を参照してスキャナ１の構成について説明する。図１は、本発明の実施形態を示すものであり、画像読み取りシステム１００が備えるスキャナ１および画像処理装置２それぞれの要部構成を示すブロック図である。また、図３は、本発明の実施形態を示すものであり、スキャナ１の外観を説明する斜視図である。図４は、本発明の実施形態を示すものであり、スキャナ１が備えるＲＦＩＤリーダ／ライタ２６および画像処理装置２が備える処理装置用ＲＦＩＤリーダ／ライタ５１それぞれの検知範囲と、ユーザが携帯するＲＦＩＤタグ３との位置関係の一例を示す図である。
【００９７】
まず、図３を参照して、本実施の形態に係るスキャナ１の概略構成を説明する。
【００９８】
スキャナ１は、図３に示すように、蓋部１２と本体部１１とを備え、本体部１１が、原稿台２１、キャリッジ２２、ステッピングモータ２３、ラインセンサ２４、載置検知部２５、およびＲＦＩＤリーダ／ライタ２６を備えてなる構成である。
【００９９】
上記キャリッジ２２は、画像を線状に読み取る装置であり、画像の読み取り手段としてラインセンサ２４を備える。キャリッジ２２全体は、ステッピングモータ２３の駆動により、縦方向、すなわち原稿台２１の長手方向に移動するように構成されている。そして、キャリッジ２２を移動させながら、ラインセンサ２４により、原稿台２１に載置された原稿から画像データを読み取る。
【０１００】
また、スキャナ１は、原稿台２１に原稿が載置されると、該原稿の存在を載置検知部２５が検知するように構成されている。載置検知部２５は、原稿台２１において原稿が載置されたとことを検知すると、その旨を示す情報を主制御部２９に送信する。なお、この載置検知部２５は、例えば、原稿台２１に載置された原稿の加重を検知する圧力センサや、該原稿の存在を検知する赤外線センサ等によって実現できる。
【０１０１】
さらにまた、スキャナ１では、後述する主制御部２９からの指示に応じて、ＲＦＩＤリーダ／ライタ２６が原稿を載置したユーザが保持するＲＦＩＤタグ３を検出し、該ＲＦＩＤタグ３に記録された情報（ＩＤ情報３０）を読み取るようにも構成されている。上記ＲＦＩＤリーダ／ライタ２６では、図４に示すように、原稿を原稿台２１に載置する際にユーザが存在する位置を含むように検知範囲４が設定されている。このため、ユーザが原稿を原稿台２１に載置しようとすると、ＲＦＩＤリーダ／ライタ２６は、このユーザが所持するＲＦＩＤタグ３からＩＤ情報３０を取得することができる。ＲＦＩＤリーダ／ライタ２６は、ＩＤ情報３０を取得すると、主制御部２９にＩＤ情報３０を渡す。なお、上記ＩＤ情報３０は、スキャナ１に原稿の読み取りを指示し、原稿から読み取った画像データを受付け処理する画像処理装置２の利用者を一意に示すＩＤ（識別）番号である。
【０１０２】
上記した構成を有するスキャナ１は、画像読み取り処理を実行するにあたり、図１に示すようにその内部においてさらに、計時部２０、通信制御部２７、主制御部２９、およびＩＤ記憶装置２８を備えている。
【０１０３】
通信制御部２７は、通信ネットワークを通じて他の装置と通信可能に接続できるように制御するものである。より具体的には、本実施の形態に係るスキャナ１は、この通信ネットワークを通じて複数の画像処理装置２・・・それぞれと通信を確立することができる。
【０１０４】
主制御部２９は、スキャナ１が備える各部の各種制御を行うものであり、例えば、ＣＰＵ等によって実現することができる。なお、主制御部２９の詳細については後述する。
【０１０５】
ＩＤ記憶装置２８は、読み書き可能な記録媒体であり、例えばハードディスクやフラッシュメモリ等によって実現することができる。このＩＤ記憶装置２８は、ＲＦＩＤリーダ／ライタ２６によって読み取ったＩＤ情報３０を記憶する。
【０１０６】
上記計時部２０は、主制御部２９からの制御指示に応じて、原稿台２１に原稿が載置された時点からの経過時間を測定するものである。後述するが、本実施の形態に係るスキャナ１では、原稿台２１に所定時間以上原稿が載置されたままの状態が続くと、ＩＤ記憶装置２８に記憶させたＩＤ情報３０を消去する構成となっている。なお、所定時間としては、原稿の読み取り処理を実行するにあたり必要となる時間が設定される。
【０１０７】
上記主制御部２９は、機能ブロックとして、ＲＦＩＤ読み取り指示部３１、指示受付け部３２、ＩＤ比較部３３、画像読み取り指示部３４、およびＩＤ情報管理部３５を備えてなる構成である。なお、これら各機能ブロックは、主制御部２９が例えばＣＰＵによって実現される場合、該ＣＰＵが不図示のＲＯＭに記憶したプログラムを不図示のＲＡＭに読み出し実行することにより実現することができる。
【０１０８】
ＲＦＩＤ読み取り指示部３１は、載置検知部２５から原稿台２１に原稿が載置されたことを検知した旨を示す情報を受信すると、ＲＦＩＤリーダ／ライタ２６を稼動させるように指示したり、ＲＦＩＤリーダ／ライタ２６によって読み取られたＩＤ情報３０を受信し、ＩＤ記憶装置２８に記憶させたりするものである。なお、ＲＦＩＤ読み取り指示部３１とＲＦＩＤリーダ／ライタ２６とによって本発明の情報取得手段を実現する。
【０１０９】
つまり、ＲＦＩＤ読み取り指示部３１からの指示に応じて、ＲＦＩＤリーダ／ライタ２６は稼動し、検知範囲４にあるユーザのＲＦＩＤタグ３から該ユーザのＩＤ情報３０を読み取る。そして、読み散ったＩＤ情報３０をＲＦＩＤ読み取り指示部３１に送信する。ＲＦＩＤ読み取り指示部３１は、ＲＦＩＤリーダ／ライタ２６からＩＤ情報３０を受信するとＩＤ記憶装置２８に記憶させる。
【０１１０】
ＩＤ情報管理部３５は、下記の場合にＩＤ記憶装置２８からＩＤ情報３０を消去するものである。すなわち、ＩＤ情報管理部３５は、載置検知部２５が原稿台２１から原稿が取り除かれたことを検知した場合、もしくは原稿台２１に原稿が載置されてから所定時間以上時間が経過した場合にＩＤ情報３０を消去する。
【０１１１】
なお、ＩＤ情報管理部３５は、原稿が載置された時間が所定時間以上経過したか否かについては、以下のように把握することができる。
【０１１２】
載置検知部２５から原稿台２１に原稿が載置されたことを検知した旨を示す情報を受信すると、ＩＤ情報管理部３５は、計時部２０に経過時間を計測するように指示する。そして、計時部２０による計測の結果、経過時間が所定時間以上となった場合、ＩＤ記憶装置２８からＩＤ情報３０を消去する。
【０１１３】
指示受付け部３２は、通信制御部２７を介して画像処理装置２から送信された指示を受付けるものである。この指示受付け部３２は、画像処理装置２から、画像データの読み取りを要求する要求指示とともに、該要求指示を入力した画像処理装置２のユーザを特定するＩＤ情報７０を受信するように構成されている。そして、指示受付け部３２は、画像データの読み取り要求指示とともに、上記ユーザのＩＤ情報７０を受信すると、ＩＤ比較部３３にこのＩＤ情報７０を渡し、ＩＤ記憶装置２８に記憶しているＩＤ情報３０と比較するように指示する。
【０１１４】
ＩＤ比較部３３は、ＲＦＩＤ読み取り指示部３１からの指示に応じて、上記画像処理装置２から受信したＩＤ情報７０と、ＩＤ記憶装置２８に記憶しているＩＤ情報３０とが一致するか否か比較するものである。ＩＤ比較部３３は、比較した結果を画像読み取り指示部３４に送信する。
【０１１５】
画像読み取り指示部３４は、ＩＤ比較部３３から受信した比較結果に基づき、原稿から画像データを読み取るか否か判定するものである。上記比較結果が、ＩＤ情報３０とＩＤ情報７０とが一致するものである場合、画像読み取り指示部３４は、画像データを原稿から読み取ると判定する。そして、原稿から画像データを読み取るようにステッピングモータ２３を稼動させるとともに、キャリッジ２２に画像データの読み取り開始を指示する。
【０１１６】
つまり、画像読み取り指示部３４からの指示に応じて、ステッピングモータ２３は、キャリッジ２２を縦方向に移動させるように駆動する。また、画像読み取り指示部３４からの指示に応じて、キャリッジ２２は、ラインセンサ２４を起動させ原稿台２１に載置されている原稿から画像データを読み取る。そして、キャリッジ２２は、読み取った画像データを、画像読み取り指示部３４に送信する。なお、画像読み取り指示部３４とステッピングモータ２３とキャリッジ２２とによって、本発明の読み取り手段を実現する。
【０１１７】
また、画像読み取り指示部３４は、キャリッジ２２により読み取られた画像データを受信すると、この画像データを、通信制御部２７を介して、画像データの読み取りを要求する画像処理装置２に送信する。
【０１１８】
なお、ＩＤ比較部３３による比較結果においてＩＤ情報３０とＩＤ情報７０とが一致する場合とは、スキャナ１の原稿台２１において原稿を載置したユーザと、該載置した原稿から画像データを読み取るように要求するユーザとが一致するということである。つまり、ＩＤ情報７０とＩＤ情報３０とが一致する場合では、画像処理装置２からスキャナ１に対して画像データの読み取り処理を指示したユーザは読み取られた画像データをスキャナ１から取得できる正規のユーザであると言える。
【０１１９】
（画像処理装置の構成）
次に、本実施の形態に係る画像処理装置２の構成について、上記した図１および図４を参照して説明する。
【０１２０】
図１に示すように、本実施の形態に係る画像処理装置２は、処理装置用ＲＦＩＤリーダ／ライタ５１、通信制御部５２、操作部５３、表示制御部５４、表示部５５、処理装置主制御部５６、および識別情報記憶部５７を備えてなる構成である。
【０１２１】
処理装置用ＲＦＩＤリーダ／ライタ５１は、検知範囲５にＲＦＩＤタグ３が存在するか否か検出し、検知範囲５内に存在するＲＦＩＤタグ３からＩＤ情報７０を取得するものである。処理装置用ＲＦＩＤリーダ／ライタ５１は、ＩＤ情報７０を取得すると処理装置主制御部５６に送信する。なお、この処理装置用ＲＦＩＤリーダ／ライタ５１は処理装置主制御部５６からの制御指示に応じて稼動する。
【０１２２】
ところで、図４に示すように、画像読み取りシステム１００では、画像処理装置２の操作時にユーザが存在する位置を含むように、処理装置用ＲＦＩＤリーダ／ライタ５１の検知範囲５が設定されている。このため、ユーザが画像処理装置２を操作しようとすると、処理装置用ＲＦＩＤリーダ／ライタ５１は、このユーザが所持するＲＦＩＤタグ３からＩＤ情報７０を取得することができる。
【０１２３】
通信制御部５２は、処理装置主制御部５６からの指示に応じて、通信ネットワークを通じて、スキャナ１との通信を確立するように制御するものである。
【０１２４】
操作部５３は、当該画像処理装置２において、ユーザからの操作指示を入力するための入力手段であり、例えば、キーボード、テンキー、マウス、操作ボタン、タッチパネル等によって実現できる。操作部５３は、ユーザから操作指示を受付けると、該操作指示を示す操作指示情報を処理装置主制御部５６に送信する。
【０１２５】
表示制御部５４は、処理装置主制御部５６からの指示に応じて、スキャナ１から受信した画像データ等を表示部５５に表示させるように制御するものである。表示部５５は、表示制御部５４からの制御指示に応じて、画像データに基づく画像を表示させる装置である。例えば、この表示部５５は、ＬＣＤ（liquid crystal display）、ＣＲＴモニタ等によって実現できる。
【０１２６】
識別情報記憶部５７は、読み書き可能な記憶装置であり、例えば、ハードディスク等によって実現できる。この識別情報記憶部５７には、当該画像処理装置２を特定するための識別情報６０が記憶されている。
【０１２７】
処理装置主制御部５６は、画像処理装置２が備える各部の各種制御を行うものであり、例えば、ＣＰＵ等によって実現できる。
【０１２８】
処理装置主制御部５６は、図１に示すように機能ブロックとして、ＩＤ情報取得部６１、実行指示部６２、および画像データ取得部６３を備えてなる構成である。なお、これら機能ブロックは、処理装置主制御部５６がＣＰＵによって実現できる場合、該ＣＰＵが不図示のＲＯＭに格納されたプログラムを不図示のＲＡＭに読み出し実行することで実現できる。
【０１２９】
上記ＩＤ情報取得部６１は、操作部５３から画像データの読み取りを要求する操作指示情報が入力されると、この操作指示情報に応じて処理装置用ＲＦＩＤリーダ／ライタ５１を起動させるものである。そして、ＩＤ情報取得部６１は、処理装置用ＲＦＩＤリーダ／ライタ５１から、検知範囲５にあるＲＦＩＤタグ３のＩＤ情報７０を取得するものである。
【０１３０】
すなわち、処理装置用ＲＦＩＤリーダ／ライタ５１は、ＩＤ情報取得部６１からの操作指示情報に応じて起動すると、検知範囲５にＲＦＩＤタグ３が存在するか否か探索する。そして、ＲＦＩＤタグ３を検出すると、処理装置用ＲＦＩＤリーダ／ライタ５１は、このＲＦＩＤタグ３に格納されているＩＤ情報７０を取得し、ＩＤ情報取得部６１に送信する。このようにしてＩＤ情報７０を取得すると、ＩＤ情報取得部６１は、このＩＤ情報７０を実行指示部６２に送信する。
【０１３１】
なお、ＩＤ情報取得部６１と処理装置用ＲＦＩＤリーダ／ライタ５１とによって、あるいは、後述するが操作部５３とＩＤ情報取得部６１とによって本発明の画像処理装置側情報取得手段を実現する。
【０１３２】
実行指示部６２は、操作部５３から入力された、ユーザからの操作指示情報に応じた処理を実行するように各部に指示するものである。より具体的には、操作部５３から、スキャナ１に対して画像データの読み取りを要求する操作指示情報を受信すると、通信制御部５２を介してスキャナ１に、画像の読み取りを要求する制御コマンドを送信する。なお、実行指示部６２は、この制御コマンドをスキャナ１に送信する際、ＩＤ情報取得部６１から取得したＩＤ情報７０と、識別情報記憶部５７から読み出した識別情報６０とを併せて送信するように構成されている。
【０１３３】
このため、制御コマンドを受信するスキャナ１では、この制御コマンドが、どの画像処理装置２から送信されたものか特定することができるとともに、画像処理装置２を操作するユーザのＩＤ情報７０を把握することができる。
【０１３４】
画像データ取得部６３は、通信制御部５２を介して上記スキャナ１により読み取られた画像データを取得するものである。画像データ取得部６３は、上記画像データを取得すると表示制御部５４に出力し、表示部５５に、この画像データを表示させるように指示する。画像データ取得部６３からの指示に応じて、表示制御部５４は、画像データを表示部５５において表示させるように制御する。
【０１３５】
ここで、上記画像処理装置２からの指示に応じて、上記スキャナ１が、画像データを載置された原稿から読み取る処理である、「画像データの読み取り処理１」の詳細について図５を参照して説明する。図５は、本発明の実施形態を示すものであり、「画像データの読み取り処理１」に係る処理フローの一例を示すフローチャートである。
【０１３６】
（画像データの読み取り処理１）
まず、画像データの読み取り対象となる原稿を、ユーザがスキャナ１の原稿台２１に載置する。この原稿の載置を載置検知部２５が検知し、検知結果を示す情報を主制御部２９に送信する。主制御部２９では、ＲＦＩＤ読み取り指示部３１が、この載置検知部２５からの情報を取得する。そして、ＲＦＩＤ読み取り指示部３１が、この情報に応じて、ＲＦＩＤリーダ／ライタ２６を稼動させるように指示する。ＲＦＩＤ読み取り指示部３１からの指示に応じて、ＲＦＩＤリーダ／ライタ２６は稼動し、検知範囲４にＲＦＩＤタグ３が存在するか探索する。
【０１３７】
この探索の結果、ＲＦＩＤリーダ／ライタ２６は、原稿を載置したユーザが保持するＲＦＩＤタグ３を検出すると（ステップＳ１１、これ以降Ｓ１１のように称する）、検出したＲＦＩＤタグ３からＩＤ情報３０を取得する。そして、取得したＩＤ情報３０をＲＦＩＤ読み取り指示部３１に送信する（Ｓ１２）。ＲＦＩＤ読み取り指示部３１は、上記ＲＦＩＤタグ３のＩＤ情報３０を取得すると、ＩＤ記憶装置２８に記憶する。
【０１３８】
次に、原稿を載置したユーザが、画像処理装置２の設置位置まで移動し、操作部５３を操作して、スキャナ１に対する、画像データの読み取り処理を要求する。画像データの読み取り処理の要求を示す操作指示を操作部５３が受付けると、この指示をＩＤ情報取得部６１および実行指示部６２に通知する。
【０１３９】
上記ＩＤ情報取得部６１は、操作部５３から通知された操作指示に応じて、処理装置用ＲＦＩＤリーダ／ライタ５１に対してＩＤ情報７０の取得を指示する。ＩＤ情報取得部６１からの指示に応じて、処理装置用ＲＦＩＤリーダ／ライタ５１が稼動し、検知範囲５においてＲＦＩＤタグ３を探索する。そして、この探索の結果、ＲＦＩＤタグ３を検出すると、処理装置用ＲＦＩＤリーダ／ライタ５１は、検出したＲＦＩＤタグ３からＩＤ情報７０を読み出し、ＩＤ情報取得部６１に送信する。このようにしてＩＤ情報７０を取得すると、ＩＤ情報取得部６１は、このＩＤ情報７０を実行指示部６２に送信する。
【０１４０】
実行指示部６２は、操作部５３から入力された操作指示に応じて、ＩＤ情報取得部６１から取得したＩＤ情報７０と、識別情報記憶部５７から読み出した識別情報６０と、画像データの読み取りを指示する制御コマンドとを併せてスキャナ１に送信する。
【０１４１】
スキャナ１では、画像処理装置２から上記制御コマンド、ＩＤ情報７０、識別情報６０を、指示受付け部３２が受信すると（Ｓ１３）、ＩＤ比較部３３に送信する。ＩＤ比較部３３は、指示受付け部３２を介して受信したＩＤ情報７０と、ＩＤ記憶装置２８に記憶したＩＤ情報３０とを比較し、その比較結果とともに、画像処理装置２から受信した識別情報６０を、画像読み取り指示部３４に送信する。
【０１４２】
画像読み取り指示部３４は、ＩＤ比較部３３から受信した比較結果に基づき、ＩＤ情報３０とＩＤ情報７０との両者が一致するか否か判定する（Ｓ１４）。
【０１４３】
ここで、上記受信したＩＤ情報７０と、記憶したＩＤ情報３０とが一致しないと判定した場合（Ｓ１４において「ＮＯ」）、すなわち原稿を載置したユーザと、画像データの読み取りを指示したユーザとが異なる場合、画像データの読み取り処理を実行せず処理を終了する。
【０１４４】
一方、上記受信したＩＤ情報７０と、記憶したＩＤ情報３０とが一致すると判定した場合（Ｓ１４において「ＹＥＳ」）、すなわち、原稿を載置したユーザと、画像データの読み取りを指示したユーザとが同一人物の場合、画像読み取り指示部３４は、画像データの読み取り処理を実行する（Ｓ１５）。
【０１４５】
すなわち、画像読み取り指示部３４は、ステッピングモータ２３を制御してキャリッジ２２を移動させ、原稿から画像データを読み取らせる。キャリッジ２２は画像データを読み取ると、該画像データを画像読み取り指示部３４に送信する。
【０１４６】
画像読み取り指示部３４は、読み取った画像データと、上記識別情報６０とを通信制御部２７に渡し、該識別情報６０により特定される画像処理装置２に対してこの画像データを送信するように指示する。この画像読み取り指示部３４からの指示に応じて、通信制御部２７は、読み取った画像データを、識別情報６０により特定される画像処理装置２に送信する（Ｓ１６）。
【０１４７】
また、画像読み取り指示部３４は、画像データの読み取り対象となる、新たな原稿の有無を確認し、さらに画像データを読み取る原稿が存在する場合（Ｓ１７において「ＮＯ」）は、ステップＳ１５に戻って、画像読み取り処理を繰り返す。一方、画像データの読み取り対象となる原稿がない場合（Ｓ１７において「ＹＥＳ」）、画像読み取り指示部３４は、キャリッジ２２およびステッピングモータ２３に指示して、画像データの読み取り処理を終了させる。
【０１４８】
以上のように、本実施の形態に係る画像読み取りシステム１００は、スキャナ１において原稿を載置したユーザと、画像処理装置２において、画像データの読み取り処理を要求するユーザとが同一であるか否か、すなわち原稿を載置したユーザによる画像データの読み取り処理であるか否かによって、画像データの読み取り処理の実行の有無を決定することができる。このため、画像データの読み取り処理を、正規のユーザ（スキャナ１に原稿を載置したユーザ）以外から指示された場合、この画像読み取り処理の実行を停止できる。
【０１４９】
このように、画像読み取りシステム１００では、正規ユーザ以外からの画像読み取り要求に対しては、スキャナ１が画像の読み取り処理自体を実行しないため、無駄な画像データの読み取り処理の実行を防ぐことができる。また、スキャナ１と画像処理装置２との間で画像データの送受信が行われないため、この画像データに対する盗聴等が発生することを防ぐことができる。特に、スキャナ１が読み取った画像データを一旦画像処理装置２に送信し、画像処理装置２でその画像データの利用の可否を判断する構成に比べて画像データの第３者による不正な利用を防止できる。
【０１５０】
なお、本実施の形態に係るスキャナ１では、原稿が原稿台２１から取り除かれた場合、あるいは原稿台２１に載置された原稿が所定時間以上、放置されたままになっている場合、ＩＤ記憶装置２８からＩＤ情報３０を消去するように構成されている。
【０１５１】
原稿が原稿台２１から取り除かれた場合、あるいは原稿が所定時間以上、載置されたままになっている場合とは、画像データの読み取り処理が完了した状態を想定することができる。ところで、画像データの読み取り処理が完了した後では、ＩＤ情報３０は不要となるため、ＩＤ記憶装置２８の記憶領域を有効に利用し、記憶したＩＤ情報３０の管理を適切に行う観点から不要なＩＤ情報３０は消去されることが好ましい。
【０１５２】
本実施の形態に係るスキャナ１は、原稿が原稿台２１から取り除かれた場合、あるいは所定時間経過しても原稿が載置されたままである場合、ＩＤ記憶装置２８に記憶させたＩＤ情報３０を消去するため、ＩＤ記憶装置２８におけるＩＤ情報３０の管理を適切に行うことができる。
【０１５３】
（画像データの読み取り処理２）
本実施の形態に係る画像読み取りシステム１００では、スキャナ１にて取得されたＩＤ情報３０と、画像処理装置２にて取得されたＩＤ情報７０との比較を、該スキャナ１が備えるＩＤ比較部３３が実行する構成であった。しかしながら、図６に示すように、このＩＤ比較部３３を、画像処理装置２が備える構成であってもよい。このように構成される場合、以下図７に示すようにして画像読み取りシステム１００は「画像データの読み取り処理２」を実行する。なお、この図６は、本発明の別の実施形態を示すものであり、画像読み取りシステム１００が備えるスキャナ１および画像処理装置２それぞれの要部構成を示すブロック図である。また、図７は、本発明の別の実施形態を示すものであり、「画像データの読み取り処理２」に係る処理フローの一例を示すフローチャートである。
【０１５４】
まず、上述の「画像データの読み取り処理１」と同様に、ユーザにより原稿台２１に原稿が載置されると、この原稿の載置を載置検知部２５が検知する。そして、この検知結果に応じて、ＲＦＩＤ読み取り指示部３１がＲＦＩＤリーダ／ライタ２６を稼動させる。ＲＦＩＤリーダ／ライタ２６は、検知範囲４においてＲＦＩＤタグ３を探索し、ＲＦＩＤタグ３を検出すると（Ｓ２１）、この検出したＲＦＩＤタグ３からＩＤ情報３０を取得する（Ｓ２２）。そして、ＲＦＩＤリーダ／ライタ２６は、取得したＩＤ情報３０をＲＦＩＤ読み取り指示部３１に送信する。
【０１５５】
ＲＦＩＤ読み取り指示部３１は、ＲＦＩＤリーダ／ライタ２６からＩＤ情報３０を受信すると、通信制御部２７を介して、通信ネットワークを通じて接続された、すべての画像処理装置２・・・に送信する（Ｓ２３）。なお、各画像処理装置２では、スキャナ１から送信されたＩＤ情報３０を、通信制御部５２を介してＩＤ比較部３３が受信する。
【０１５６】
次に、スキャナ１において原稿を載置したユーザが、自身が使用する画像処理装置２の設置場所に移動する。そして、ユーザは、この画像処理装置２において、上記スキャナ１に対する画像データの読み取り処理の要求を入力する。このユーザからの、画像データの読み取り処理の要求を示す操作指示を操作部５３が受付けると、この操作指示をＩＤ情報取得部６１および実行指示部６２に通知する。
【０１５７】
上記ＩＤ情報取得部６１は、この操作指示の通知を受信すると、処理装置用ＲＦＩＤリーダ／ライタ５１に対してＩＤ情報７０の取得を指示する。この指示に応じて処理装置用ＲＦＩＤリーダ／ライタ５１は稼動し、検知範囲５においてＲＦＩＤタグ３を探索する。そして、この探索した結果、検知したＲＦＩＤタグ３から、処理装置用ＲＦＩＤリーダ／ライタ５１がＩＤ情報７０を取得し、ＩＤ情報取得部６１に送信する。
【０１５８】
ＩＤ情報取得部６１は、ＩＤ情報７０を取得すると、ＩＤ比較部３３に送信する。ＩＤ比較部３３は、ＩＤ情報取得部６１からＩＤ情報７０を受信すると、このＩＤ情報７０と、スキャナ１から受信しているＩＤ情報３０とを比較する。そして、ＩＤ比較部３３は、その比較結果を実行指示部６２に送信する。
【０１５９】
ＩＤ比較部３３から比較結果を受信すると、その比較結果とともに、実行指示部６２は、操作部５３からの操作指示に応じた制御コマンドと、識別情報記憶部５７に記憶されている識別情報６０とを併せて、通信制御部５２を介して、スキャナ１に送信する。
【０１６０】
スキャナ１では、指示受付け部３２が通信制御部２７を介して画像処理装置２から、制御コマンド、識別情報６０、およびＩＤ比較部３３による比較結果を受信する（Ｓ２４）。
【０１６１】
指示受付け部３２は、制御コマンド、識別情報６０、および比較結果を受信すると、これらの情報を画像読み取り指示部３４に送信する。
【０１６２】
画像読み取り指示部３４は、指示受付け部３２から受信した制御コマンドに基づき、要求されている処理を把握する。すなわち、画像データの読み取り処理が要求されていることを把握する。次に画像読み取り指示部３４は、上記比較結果によりＩＤ情報３０とＩＤ情報７０とが一致したか否か確認し（Ｓ２５）、その確認結果がＩＤ情報３０とＩＤ情報７０との一致を示すものである場合（Ｓ２５において「ＹＥＳ」の場合）、載置された原稿からの画像データの読み取り処理を実行する。一方、ステップＳ２５において「ＮＯ」の場合、処理を終了する。
【０１６３】
なお、ステップＳ２６以降の処理フローは、図５に示すステップＳ１５以降の処理と同様であるため説明は省略する。
【０１６４】
以上のように、ＩＤ比較部３３を画像処理装置２が備える構成であっても、上記した「画像データの読み取り処理１」を実行する本実施の形態に係る画像読み取りシステム１００と同様に、正規ユーザ以外からの画像読み取り要求に対しては、画像データの読み取り処理自体を行わない。このため、スキャナ１と画像処理装置２との間で画像データの送受信が発生しない。したがって、この画像データに対する盗聴等が発生することを防ぐことができる。特に、スキャナ１が読み取った画像データを画像処理装置２に送信し、該画像処理装置２側で画像データの利用の有無を判定する構成と比較して、画像データの不要な送信を行うことがないため、安全性を向上させることができる。
【０１６５】
また、本実施の形態に係るスキャナ１では、ＩＤ比較部３３によるＩＤ情報３０とＩＤ情報７０との比較結果において、両者が一致する場合に画像読み取り指示部３４が画像データの読み取りを指示する構成であった。しかしながら、ＩＤ比較部３３によるＩＤ情報３０とＩＤ情報７０との比較を実行する前に、載置された原稿から画像データを読み取る構成であってもよい。
【０１６６】
すなわち、画像読み取り指示部３４は、指示受付け部３２を介して、画像処理装置２から画像データの読み取り要求を示す制御コマンドと、該要求を行う画像処理装置２を特定する識別情報６０と、この画像処理装置２にて取得したＩＤ情報７０とを受信する。このように、制御コマンド、識別情報６０、ＩＤ情報７０を受信すると、画像読み取り指示部３４はまず画像データの読み取りを指示する。そして、次に、ＩＤ比較部３３に画像処理装置２から受信したＩＤ情報７０を送信し、ＩＤ記憶装置２８に記憶しているＩＤ情報３０と一致するか否か判断をさせる。
【０１６７】
画像読み取り指示部３４は、キャリッジ２２およびステッピングモータ２３を制御して原稿から画像データを読み取ると、ＩＤ比較部３３によるＩＤ情報３０とＩＤ情報７０との比較結果に基づき、この画像データの、画像処理装置２に対する送信の可否を決定する。
【０１６８】
ここで、ＩＤ比較部３３による比較結果が、画像処理装置２から受信したＩＤ情報７０とＩＤ記憶装置２８に記憶しているＩＤ情報３０が一致するものである場合、画像読み取り指示部３４は、通信制御部２７を制御して、読み取った画像データを、識別情報６０によって特定される画像処理装置２に送信する。
【０１６９】
一方、上記ＩＤ情報３０とＩＤ情報７０とが一致しなかった場合、画像読み取り指示部３４は、読み取った画像データを画像処理装置２には送信しない。
【０１７０】
なお、複数の画像データを読み取る場合は、画像読み取り指示部３４は、原稿から読み取った画像データを順次、不図示の記憶装置に記憶させる。そして、ＩＤ比較部３３による比較結果が、画像処理装置２から受信したＩＤ情報７０とＩＤ記憶装置２８に記憶しているＩＤ情報３０とが一致するものである場合、この記憶装置に記憶した画像データを画像処理装置２に対して送信する。
【０１７１】
以上のように、画像処理装置２を介して正規ユーザから画像データの読み取り処理が要求されるか否かに関わらず、載置された原稿から画像データを読み取っておく構成の方が、正規ユーザが利用する画像処理装置２から画像データを要求された場合、即座に画像データを、該画像処理装置２に送信することができる。
【０１７２】
（ＩＤ情報の入力方法のバリエーション）
また、上記した画像読み取りシステム１００では、画像処理装置２が、処理装置用ＲＦＩＤリーダ／ライタ５１を備え、ＲＦＩＤタグ３からＩＤ情報７０を取得する構成であったが、これに限定されるものではない。例えば、画像処理装置２は、処理装置用ＲＦＩＤリーダ／ライタ５１を備える代わりに、操作部５３からＩＤ情報７０の入力を促す構成としてもよい。
【０１７３】
このように構成される場合、本実施の形態に係る画像処理装置２は、図１に示す構成において処理装置用ＲＦＩＤリーダ／ライタ５１を備える必要がない。その代わり、処理装置主制御部５６が備える各機能ブロックは以下のように機能する。
【０１７４】
すなわち、ＩＤ情報取得部６１が、スキャナ１に対する、画像データの読み取り処理の要求を、操作部５３を介して受付けると、表示制御部５４に対して、ＩＤ情報７０を入力するように促す表示を指示する。この指示に応じて、表示制御部５４が表示部５５にＩＤ情報７０の入力を促す内容を表示させ、ユーザからの入力を待ち受ける。
【０１７５】
ユーザにより操作部５３からＩＤ情報７０が入力されると、このＩＤ情報７０をＩＤ情報取得部６１が取得する。このようにして、ＩＤ情報取得部６１がＩＤ情報７０を取得すると、このＩＤ情報７０を実行指示部６２に送信する。そして、実行指示部６２が、原稿の読み取りを要求する制御コマンドとともに、取得したＩＤ情報７０と識別情報記憶部５７から読み出した識別情報６０とを併せてスキャナ１に送信する。これ以降の処理は、上述した画像データ読み取り処理と同様であるため省略する。
【０１７６】
なお、ＩＤ情報７０をユーザが操作部５３によって直接入力するのではなく、以下のようなユーザからの入力に対してＩＤ情報７０をスキャナ１に送信する構成とすることもできる。
【０１７７】
すなわち、画像処理装置２において、ユーザのＩＤ情報７０を不図示のメモリに予め記憶させておき、該ユーザからパスワード入力とともに原稿の読み取り処理の要求を操作部５３が受付けると、実行指示部６２が、このパスワードに応じたＩＤ情報７０を読み出す。そして、この読み出したＩＤ情報７０とともに、識別情報６０、および読み取り処理を要求する制御コマンドをスキャナ１に送信する。
【０１７８】
あるいは、画像処理装置２が備える操作部５３によってＩＤ情報７０を手動にて入力するのではなく、接触型ＩＣカードによってＩＤ情報７０を入力する構成としてもよい。
【０１７９】
このように構成される場合、操作部５３が、接触型ＩＣカードのリーダ／ライタを有し、ＩＤ情報７０を含む接触型ＩＣカードを上記接触型ＩＣカードのリーダ／ライタに接触させ、該ＩＤ情報７０を画像処理装置２に入力する。
【０１８０】
また、上記した画像読み取りシステム１００では、スキャナ１が、ＲＦＩＤリーダ／ライタ２６を備え、ユーザが保持するＲＦＩＤタグ３からＩＤ情報３０を取得する構成であったが、これに限定されるものではない。例えば、上記ＩＤ情報３０を含むＲＦＩＤタグ３がユーザではなく、読み取りが所望される原稿に付されており、上記ＲＦＩＤリーダ／ライタ２６は、この原稿に付されたＲＦＩＤタグ３からＩＤ情報３０を下記のように読み取る構成であってもよい。
【０１８１】
すなわち、読み取り対象となる原稿は、それぞれ利用可能なユーザが決められており、該ユーザを識別するＩＤ情報３０を含むＲＦＩＤタグ３が付されている。そして、このＲＦＩＤタグ３が付された原稿が原稿台２１に配置されると、ＲＦＩＤリーダ／ライタ２６が該原稿に付されたＲＦＩＤタグ３からＩＤ情報３０を取得する。そして、このＩＤ情報３０をＲＦＩＤリーダ／ライタ２６からＲＦＩＤ読み取り指示部３１が受信する。そして、ＩＤ記憶装置２８に記憶させる。
【０１８２】
このように、ＩＤ情報３０を含むＲＦＩＤタグ３は、ユーザではなく読み取り処理の処理対象である原稿に付される構成であってもよい。
【０１８３】
（ＩＤ情報として利用する情報のバリエーション）
また、上記した画像読み取りシステム１００では、ＩＤ情報３０およびＩＤ情報７０は、各ユーザを一意に示すＩＤ番号等の識別情報であったが、これに限定されるものではない。例えば、所定の原稿の読み取り結果を、所定のユーザ群から構成されるグループで利用が許可されている場合、上記ＩＤ情報３０およびＩＤ情報７０は、各ユーザを一意に識別する情報の代わりに、ユーザが属するグループを識別する情報とすることができる。
【０１８４】
このようにＩＤ情報３０およびＩＤ情報７０を上記グループを識別する情報とすることにより、本実施の形態に係る画像読み取りシステム１００を、所定のグループに属するユーザならば誰でも、原稿の読み取り処理を実行させることができる。
【０１８５】
また、ユーザを識別する情報と、該ユーザが属するグループを識別する情報との対応関係を示すテーブルをスキャナ１または画像処理装置２が保持している場合、スキャナ１が取得するＩＤ情報３０を、ユーザが属するグループの識別情報とし、画像処理装置２が取得するＩＤ情報７０を、ユーザを特定する識別情報とし両者の情報の内容を異ならせてもよい。このように取得するＩＤ情報の内容を異ならせる場合は、本実施の形態に係る画像読み取りシステム１００では以下のようにＩＤ情報の比較が行われる。
【０１８６】
すなわち、ＩＤ比較部３３は、不図示の上記テーブルを参照して、ＩＤ情報７０として特定されたユーザがＩＤ情報３０として特定されたグループに含まれるものであるか否か比較する。
【０１８７】
その比較結果において、ＩＤ情報７０として特定されたユーザが、ＩＤ情報３０として特定されたグループに含まれる場合、正規ユーザからの画像データの読み取り処理の要求であるとして、画像読み取り指示部３４が画像データの読み取りを指示する。そして、読み取った画像データを、通信制御部２７を介して画像処理装置２に送信する。
【０１８８】
さらにまた、本実施の形態に係る画像読み取りシステム１００では、ＩＤ情報３０およびＩＤ情報７０それぞれが、以下に示す情報（原稿種別情報）であってもよい。
【０１８９】
すなわち、画像読み取りシステム１００では、スキャナ１による読み取り対象となる原稿には、原稿から読み取った画像データを要求できるユーザの範囲を規定した原稿種別を示す情報である、原稿種別情報が設定されている。そして、この設定された原稿種別情報がＩＤ情報３０としてＲＦＩＤタグ３に記憶されている。
【０１９０】
一方、各ユーザにおいても、ＩＤ情報７０として、当該ユーザが原稿から読み取った画像データを要求できる範囲を規定した原稿種別を示す情報である、原稿種別情報が設定されている。
【０１９１】
例えば、図８に示すように、読み取り対象となる原稿の内容の重要度に応じて、最も重要な原稿には「最重要」、ある程度重要な原稿には「重要」、一般的な内容で広くその原稿から読み取った画像データの利用が許されている「一般」という３つの原稿種別に区分されているとする。なおこの区分では、「最重要」が割り当てられている原稿に対しては、「最重要」が割り当てられているユーザしか画像データを利用することができない。「重要」が割り当てられている原稿に対しては、「重要」および「最重要」が割り当てられているユーザしか画像データを利用することができない。「一般」が割り当てられている原稿に対しては、「一般」、「重要」、および「最重要」が割り当てられているユーザが画像データを利用することができる。
【０１９２】
なお、図８は、本発明の実施形態を示すものであり、スキャナ１にて取得したＩＤ情報３０と画像処理装置２にて取得したＩＤ情報７０との関係と、原稿から読み取られた画像データの利用の可否との対応関係を示す図である。
【０１９３】
ここで、図８に示すように、読み取り対象となる原稿の原稿種別情報（ＩＤ情報３０）が「最重要」であり、一方、読み取りを要求するユーザに割り当てられている原稿種別情報（ＩＤ情報７０）が「一般」である場合、該ユーザによる原稿の画像データの利用は許可されない。一方、読み取り対象となる原稿の原稿種別情報が「重要」であり、読み取りを要求するユーザに割り当てられた原稿種別情報が「最重要」である場合、このユーザによる原稿の画像データの利用は許可される。また、読み取り対象となる原稿の原稿種別情報とユーザに割り当てられている原稿種別情報とがともに「一般」である場合、このユーザによる原稿の画像データの利用は許可される。
【０１９４】
またこのように、ＲＦＩＤタグ３に原稿種別情報としてＩＤ情報３０を記憶させ、また各ユーザに対しても、原稿の種別に応じた上記ＩＤ情報７０が割り当てられている場合、スキャナ１および画像処理装置２は以下のような構成となる。
【０１９５】
すなわち、スキャナ１では、原稿が載置されると該原稿に付されているＲＦＩＤタグ３からＩＤ情報３０をＲＦＩＤリーダ／ライタ２６が取得する。そして、このＩＤ情報３０をＲＦＩＤ読み取り指示部３１が、ＩＤ記憶装置２８に記憶させる。
【０１９６】
一方、画像処理装置２では、原稿の読み取り要求とともにユーザが自身に割り当てられている上記ＩＤ情報７０を操作部５３から入力する。また、この時ユーザは、原稿からの画像データの読み取り処理の実行を要求する。
【０１９７】
このように、ＩＤ情報７０と読み取り処理の実行要求を操作部５３により受付けると、実行指示部６２がこの入力されたＩＤ情報７０、原稿の読み取り要求する制御コマンド、および識別情報記憶部５７から読み出した識別情報６０をスキャナ１に送信する。
【０１９８】
一方、スキャナ１では、ＲＦＩＤリーダ／ライタ２６によって取得したＩＤ情報（原稿種別情報）３０を、ＩＤ記憶装置２８に記憶する。そして、指示受付け部３２が通信制御部２７を介して画像処理装置２から制御コマンド、識別情報６０、およびＩＤ情報７０を受信すると、ＩＤ比較部３３において、この受信したＩＤ情報７０と記憶したＩＤ情報３０とを比較する。そして、ＩＤ比較部３３による比較結果に基づき、画像読み取り指示部
３４が、画像の読み取り処理を実行するか否か判定する。
【０１９９】
このようにＩＤ情報３０およびＩＤ情報７０としてそれぞれ原稿種別情報を利用する場合、読み取り対象となる原稿に割り当てた原稿種別に応じて、該原稿から読み出した画像データを利用できる権限を有するユーザに対してのみ、この画像データを提供することができる。
【０２００】
（原稿から読み取られた画像データに対する処理例）
本実施の形態に係る画像処理装置２は、スキャナ１により原稿から読み取った画像データを表示部５５に表示させる構成であったが、これに限定されるものではない。例えば、画像処理装置２は、記憶装置（不図示）を備え、上記画像データをこの記憶装置に記憶させて保持する構成であってもよい。さらには、画像処理装置２は、印字部（不図示）を備え、この印字部に取得した画像データを送信し、画像データに基づく印字を行う構成であってもよい。
【０２０１】
また、画像処理装置２において画像データを記憶装置に記憶させて保持する構成の場合、該画像データには、ＩＤ情報取得部６１によって取得したＩＤ情報３０が対応付けられて記憶されていることが好ましい。
【０２０２】
このようにＩＤ情報３０と読み取り処理により得られた画像データとを対応付けて記憶する構成の場合、画像データに対応付けられたＩＤ情報３０を保持するユーザからの読み出しまたは消去指示に対してのみ、これら指示に対応した処理を実行するように制限することができる。
【０２０３】
（放置された原稿に対する処理）
本実施の形態に係るスキャナ１では、原稿台２１に原稿が所定時間以上載置された場合、ＩＤ情報管理部３５がＩＤ情報３０をＩＤ記憶装置２８から消去する構成であった。しかしながら、このＩＤ情報管理部３５は、ＩＤ情報３０を消去するだけでなく、原稿が載置されたままである旨を通知する構成であってもよい。
【０２０４】
原稿が載置されたままである旨の通知は、例えば、スキャナ１が表示部を備えている場合、該表示部を制御して、上記通知内容を表示してもよい。もしくは、原稿が載置されたままである旨の通知を示す情報を画像処理装置２に送信し、該画像処理装置２が備える表示部５５において表示させる構成であってもよい。あるいは、スキャナ１が警告灯もしくは警告音を発する警告部を備えている場合、ＩＤ情報管理部３５がこの警告部を制御して警告する構成であってもよい。
【０２０５】
なお、本実施の形態に係る画像読み取りシステム１００は、ユーザがスキャナ１に原稿を載置した後、自身が利用する画像処理装置２からこのスキャナ１に画像データの読み取り処理を要求する構成であった。しかしながら、ユーザがこの画像読み取り処理を以下の手順で実行してもよい。
【０２０６】
すなわち、まず、ユーザが画像処理装置２において操作部５３を操作して、スキャナ１に原稿の読み取り処理を要求する。その後、ユーザがスキャナ１に移動し、画像データの読み取りの対象となる原稿を載置する。それから、ユーザは、上記画像処理装置２に戻り、画像処理装置２がスキャナ１によって読み取られた画像データを受信するのを待つ。
【０２０７】
本実施の形態に係る画像読み取りシステム１００では、画像処理装置２とスキャナ１とが通信ネットワークを通じて接続された構成であった。しかしながら、これら両者が無線によって接続される構成であってもよい。
【０２０８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２０９】
本実施の形態に係るスキャナ１は、読み取った画像データの送信先が正規ユーザか否か判定した上で、該画像データを送信する構成である。
【０２１０】
特に、本実施の形態に係る画像読み取りシステム１００のように、スキャナ１が通信ネットワークを通じて不特定多数の画像処理装置２から接続可能となっているような場合、正規ユーザに対してのみ読み取った画像データを提供できるように構成することは、画像データの安全性を担保する上で重要となる。
【０２１１】
したがって、本実施の形態に係る画像読み取りシステム１００は、不特定多数の装置からアクセス可能な環境におかれた装置から画像データを安全に提供するシステムとして広く適用できる。
【図面の簡単な説明】
【０２１２】
【図１】本発明の実施形態を示すものであり、画像読み取りシステムが備えるスキャナおよび画像処理装置それぞれの要部構成を示すブロック図である。
【図２】本発明の実施形態を示すものであり、画像読み取りシステムの概略構成を示すブロック図である。
【図３】本発明の実施形態を示すものであり、スキャナの外観を説明する斜視図である。
【図４】本発明の実施形態を示すものであり、スキャナが備えるＲＦＩＤリーダ／ライタおよび画像処理装置が備える処理装置用ＲＦＩＤリーダ／ライタそれぞれの検知範囲と、ユーザが携帯するＲＦＩＤタグとの位置関係の一例を示す図である。
【図５】本発明の実施形態を示すものであり、「画像データの読み取り処理１」に係る処理フローの一例を示すフローチャートである。
【図６】本発明の別の実施形態を示すものであり、画像読み取りシステムが備えるスキャナおよび画像処理装置それぞれの要部構成を示すブロック図である。
【図７】本発明の別の実施形態を示すものであり、「画像データの読み取り処理２」に係る処理フローの一例を示すフローチャートである。
【図８】本発明の実施形態を示すものであり、スキャナにて取得したＩＤ情報と画像処理装置にて取得したＩＤ情報との関係と、原稿から読み取られた画像データの利用の可否との対応関係を示す図である。
【符号の説明】
【０２１３】
１    スキャナ（画像読み取り装置）
２    画像処理装置
３  ＲＦＩＤタグ（移動通信記憶装置）
４  検知範囲（所定範囲）
５  検知範囲
２０  計時部
２２  キャリッジ（読み取り手段）
２３  ステッピングモータ（読み取り手段）
２４  ラインセンサ（読み取り手段）
２５  載置検知部（検出部）
２６  ＲＦＩＤリーダ／ライタ（情報取得手段）
２７  通信制御部（送信部）
２８  ＩＤ記憶装置（情報記憶装置）
２９  主制御部
３０  ＩＤ情報（画像読み取り装置側情報）
３１  ＲＦＩＤ読み取り指示部（情報取得手段）
３２  指示受付け部（受付け手段）
３３  ＩＤ比較部（比較手段）
３４  画像読み取り指示部（判定手段・読み取り手段）
３５  ＩＤ情報管理部（消去手段・通知情報出力手段）
５１  処理装置用ＲＦＩＤリーダ／ライタ（画像処理装置側情報取得手段）
５２  通信制御部（画像処理装置送信部）
５３  操作部（指示情報受付け部・画像処理装置側情報取得手段）
５６  処理装置主制御部
６１  ＩＤ情報取得部（画像処理装置側情報取得手段）
６２  実行指示部
６３  画像データ取得部
７０  ＩＤ情報（画像処理装置側情報）
１００  画像読み取りシステム
【図１】
2009152869.tif 000003
【図２】
2009152869.tif 000004
【図３】
2009152869.tif 000005
【図４】
2009152869.tif 000006
【図５】
2009152869.tif 000007
【図６】
2009152869.tif 000008
【図７】
2009152869.tif 000009
【図８】
2009152869.tif 000010